【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
ハイパースペクトルまたはマルチスペクトルイメージングにおいて使用するショックデータを取得する装置であって、
検出器と、
フィルタまたはフィルタを備えない波長セレクタと、
電源と、
画像取得ハードウェアと、
のうちの少なくとも１つを備えている装置。
【請求項２】
前記検出器は電荷結合素子およびレンズを有するディジタルカメラである、請求項１に記載の装置。
【請求項３】
前記フィルタは可視波長の液晶チューナブルフィルタである、請求項１に記載の装置。
【請求項４】
前記フィルタはＮＩＲ波長の液晶チューナブルフィルタである、請求項１に記載の装置。
【請求項５】
前記フィルタは可視およびＮＩＲ光の両方をフィルタリングする能力を有する、請求項１に記載の装置。
【請求項６】
２つのフィルタを備えるデュアルシステムが使用され、前記フィルタは可視およびＮＩＲ波長の液晶チューナブルフィルタである、請求項１に記載の装置。
【請求項７】
可視波長の液晶チューナブルフィルタおよび狭帯域ＩＲ照射源を備える、デュアルシステムが使用されている、請求項１に記載の装置。
【請求項８】
可視波長の液晶チューナブルフィルタならびに１つ以上の赤外フィルタを備える、デュアルシステムが使用されている、請求項１に記載の装置。
【請求項９】
前記検出器はＣＭＯＳ素子およびレンズを有するディジタルカメラである、請求項１に記載の装置。
【請求項１０】
前記フィルタは音響光学チューナブルフィルタである、請求項１に記載の装置。
【請求項１１】
前記フィルタは切換可能フィルタアレイである、請求項１に記載の装置。
【請求項１２】
光の１つ以上の選択された波長が、１つ以上の光源からフィルタ内に送出される、請求項１に記載の装置。
【請求項１３】
光の前記選択された波長はＮＩＲ波長である、請求項１に記載の装置。
【請求項１４】
光の前記選択された波長は可視波長である、請求項１に記載の装置。
【請求項１５】
光の前記選択された波長は可視およびＮＩＲ波長である、請求項１に記載の装置。
【請求項１６】
前記フィルタは前記カメラレンズの前面に装着されている、請求項１に記載の装置。
【請求項１７】
前記電源は同軸または略同軸照射を放射する照射器に電力を供給する、請求項１に記載の装置。
【請求項１８】
ソフトウェアプログラムを用いて画像取得ハードウェアを制御する、請求項１に記載の装置。
【請求項１９】
前記装置は携帯型である、請求項１に記載の装置。
【請求項２０】
前記データ取得はリアルタイムまたは略リアルタイムで実行される、請求項１に記載の装置。
【請求項２１】
患者からハイパースペクトル／マルチスペクトルデータを取得する方法であって、
前記患者の組織上の関心領域を照射することと、
レンズおよび検出器を用いて前記関心領域のデータ画像を収集することと、
標準データ分析および標準分類方法を実行することと、
全身的生理機能の状態を測定することと、を含む方法。
【請求項２２】
測定される全身的生理機能の前記状態は、ショックであるか又はショックに関連している、請求項２１に記載の方法。
【請求項２３】
測定される全身的生理機能の前記状態は心臓代償障害に関連している、請求項２１に記載の方法。
【請求項２４】
測定される全身的生理機能の前記状態は呼吸不全に関連している、請求項２１に記載の方法。
【請求項２５】
測定される全身的生理機能の前記状態は循環血液量減少である、請求項２１に記載の方法。
【請求項２６】
測定される全身的生理機能の前記状態は糖尿病の進行に関連している、請求項２１に記載の方法。
【請求項２７】
測定される全身的生理機能の前記状態は鬱血性心不全に関連している、請求項２１に記載の方法。
【請求項２８】
測定される全身的生理機能の前記状態は感染症または敗血症である、請求項２１に記載の方法。
【請求項２９】
測定される全身的生理機能の前記状態は脱水症である、請求項２１に記載の方法。
【請求項３０】
測定される全身的生理機能の前記状態は出血である、請求項２１に記載の方法。
【請求項３１】
測定される全身的生理機能の前記状態は低血圧症である、請求項２１に記載の方法。
【請求項３２】
測定される全身的生理機能の前記状態は高血圧症である、請求項２１に記載の方法。
【請求項３３】
測定される全身的生理機能の前記状態は化学または生物学的薬剤への曝露である、請求項２１に記載の方法。
【請求項３４】
測定される全身的生理機能の前記状態は炎症反応である、請求項２１に記載の方法。
【請求項３５】
測定される全身的生理機能の前記状態が、全身的、局所または局部的に適用される薬剤の投与または他の治療に関連している、請求項２１に記載の方法。
【請求項３６】
標準データ分析はデータ画像を光密度単位に変換することを含む、請求項２１に記載の方法。
【請求項３７】
標準分類方法は、ハイパーキューブ内の各スペクトルに関するデオキシヘモグロビン率測定値を計算することを含む、請求項２１に記載の方法。
【請求項３８】
標準分類方法は、ハイパーキューブ内の各スペクトルに関するオキシヘモグロビン率測定値を計算することを含む、請求項２１に記載の方法。
【請求項３９】
標準分類方法は、ハイパーキューブ内の各スペクトルに関する酸素飽和百分率を計算することを含む、請求項２１に記載の方法。
【請求項４０】
標準分類方法は、データまたは主成分の識別分析を含む、請求項２１に記載の方法。
【請求項４１】
前記組織は前腕、前頭部、頬からの皮膚、口腔粘膜、または直腸粘膜である、請求項２１に記載の方法。
【請求項４２】
患者からハイパースペクトルデータを取得する方法であって、
前記患者の組織上の関心領域を照射することと、
レンズおよび検出器を用いて前記関心領域のデータ画像を収集することと、
アルゴリズムを用いて前記データ画像を光密度単位に変換することと、
前記データ画像のハイパーキューブを生成することと、
前記ハイパーキューブ内の各スペクトルに関する酸素飽和百分率を計算することと、
ショック状態を測定することと、を含む方法。
【請求項４３】
患者からハイパースペクトルデータを取得する方法であって、
前記患者の皮膚上の関心領域を照射することと、
カメラを用いて前記関心領域のデータ画像を収集することと、
アルゴリズムを用いて前記データ画像を光密度単位に変換することと、
前記データ画像のハイパーキューブを生成することと、
前記ハイパーキューブ内の各スペクトルに関する酸素飽和百分率を計算することと、
前記ハイパーキューブ内の各スペクトルに関する酸素飽和百分率の時間的変化をモニターすることと、
ショック状態を測定することと、を含む方法。
【請求項４４】
患者からハイパースペクトルデータを取得する方法であって、
前記患者の組織上の関心領域を照射することと、
レンズおよび検出器を用いて前記関心領域のデータ画像を収集することと、
アルゴリズムを用いて前記データ画像を光密度単位に変換することと、
前記データ画像のハイパーキューブを生成することと、
前記ハイパーキューブ内の各スペクトルに関するオキシヘモグロビンおよびデオキシヘモグロビン率を計算することと、
ショック状態を測定することと、を含む方法。
【請求項４５】
患者からハイパースペクトルデータを取得する方法であって、
前記患者の皮膚上の関心領域を照射することと、
カメラを用いて前記関心領域のデータ画像を収集することと、
アルゴリズムを用いて前記データ画像を光密度単位に変換することと、
前記データ画像のハイパーキューブを生成することと、
前記ハイパーキューブ内の各スペクトルに関する酸素飽和百分率を計算することと、
前記ハイパーキューブ内の各スペクトルに関するオキシヘモグロビンおよびデオキシヘモグロビン率の時間的変化をモニターすることと、
ショック状態を測定することと、を含む方法。
【請求項４６】
ハイパースペクトルイメージングにおいて使用するショックデータを取得する装置であって、
検出器と、
電源と、
１つ以上のセットのＬＥＤ光と、
画像取得ハードウェアと、
のうちの少なくとも１つを備えている装置。
【請求項４７】
前記ＬＥＤ光は２〜１００ｎｍの間の狭帯域ＬＥＤである、請求項４６に記載の装置。
【請求項４８】
可視およびＮＩＲ光検知を可能にする１つ又は２つの検出器を備えている、請求項４６に記載の装置。
【請求項４９】
前記レンズは可視およびＮＩＲ波長に調整されている、請求項４６に記載の装置。
【請求項５０】
狭帯域とは５０ｎｍ未満の帯域幅を意味する、請求項４６に記載の装置。
【請求項５１】
前記装置はさらに、光コントローラおよびコンピュータ実行システム制御を備えている、請求項４６に記載の装置。
【請求項５２】
前記画像取得ハードウェアはデータ取得および前処理ソフトウェアを備えている、請求項４６に記載の装置。
【請求項５３】
前記１つ以上のセットのＬＥＤ光のそれぞれは、それ自身の中心放射波長およびそれ自身の放射帯域幅を有する、請求項４６に記載の装置。
【請求項５４】
前記１つ以上のセットのＬＥＤ光のそれぞれは、前記レンズ周りに円形パターンで分布したＬＥＤを備え、前記ＲＯＩ全体にわたり均一または略均一照射を可能にしている、請求項４６に記載の装置。
【請求項５５】
前記１つ以上のセットのＬＥＤ光は、照射コントローラにより電力供給をオンおよびオフされる、請求項４６に記載の装置。
【請求項５６】
生理的状態またはショックを検出する方法であって、
患者の組織上の関心領域を確定することと、
規定間隔をおいた時間の間に異なる波長範囲で関心領域を照射することと、
照射の間および照射しない時間の間に、ハイパースペクトルイメージング装置により一連の画像を収集することと、
前記照射および収集ステップを、代謝状態のデータ変化を検出するのに十分な頻度で繰り返すことと、
前記データ変化を処理してハイパーキューブを生成することと、を含む方法。
【請求項５７】
前記組織は前腕、前頭部、頬からの皮膚、口腔粘膜、直腸粘膜または漿膜である、請求項５６に記載の方法。
【請求項５８】
前記波長領域は約５００〜１１００ｎｍである、請求項５６に記載の生理的状態またはショックを検出する方法。
【請求項５９】
前記波長領域は約５００〜６００ｎｍである、請求項５６に記載の生理的状態またはショックを検出する方法。
【請求項６０】
前記波長領域は約９５０〜１１００ｎｍである、請求項５６に記載の生理的状態またはショックを検出する方法。
【請求項６１】
前記一連の画像はＣＣＤまたはＣＭＯＳカメラにより収集される、請求項５６に記載の生理的状態またはショックを検出する方法。
【請求項６２】
前記データ処理は前記画像内の各ピクセルに関する酸素飽和値を計算することを含む、請求項５６に記載の生理的状態またはショックを検出する方法。
【請求項６３】
前記データ処理はオキシヘモグロビンおよびデオキシヘモグロビンのスペクトル成分の組合せを求めることを含む、請求項５６に記載の生理的状態またはショックを検出する方法。
【請求項６４】
前記データ処理は、６１５〜７１０ｎｍの赤色領域の波長と、約５５０〜５８０ｎｍの黄色領域の波長または約５８０〜６１５ｎｍのオレンジ領域の波長と、の比を求めることを含む、請求項５６に記載の生理的状態またはショックを検出する方法。
【請求項６５】
前記データ処理は、周囲光の寄与分を除去し、単位時間当たりの反射強度を評価することを含み、
各波長セットで投射されて記録された画像から、照射せずに記録された画像を減算する、請求項５６に記載の生理的状態またはショックを検出する方法。
【請求項６６】
前記データ処理は、誘導された正規化ＨＳＩ画像強度と記録された基準正規化強度との比を、十に基づく対数として光吸収値を計算することを含む、請求項５６に記載の生理的状態またはショックを検出する方法。
【請求項６７】
前記データ処理は、時間セットの各期間で画像記録を実行することを含む、請求項５６に記載の生理的状態またはショックを検出する方法。
【請求項６８】
前記データ処理は、ＮＩＲ波長と可視波長における値に関する２つの個別の検出器の間で画像記録を実行することを含む、請求項５６に記載の生理的状態またはショックを検出する方法。